(57)【特許請求の範囲】
【請求項１】
登録ユーザに関するユーザ情報のファイル名を前記登録ユーザの電話番号に関連付けて保持しているユーザ情報データベースと、
利用ユーザを撮像する撮像システムに設けられ、前記利用ユーザの携帯電話が差し込まれると、前記携帯電話から電話番号を取得して個人認証データメモリに格納する携帯電話通信部と、
前記個人認証データメモリに格納されている電話番号を検索キーとして、前記ユーザ情報データベース内を検索する手段と、
前記個人認証データメモリに格納されている電話番号が前記ユーザ情報データベースにない場合に、前記利用ユーザが前記登録ユーザでないと判断し、前記利用ユーザからユーザ情報の入力を受け付け、前記利用ユーザのプロフィールをプロフィールデータベースに保存し、前記利用ユーザの画像データを画像データベースに保存し、前記利用ユーザの音声データを音声データベースに保存し、それぞれのデータベースに保存されたデータのファイル名を、前記個人認証データメモリに格納されている電話番号に関連付けて前記ユーザ情報データベースに保存する手段と、
前記ユーザ情報データベースが保持しているユーザ情報の中で第三者に公開する情報である公開情報を指定するデータを格納する公開情報項目ファイルと、
前記公開情報の一部から構成され、前記公開情報よりデータ量が少ない簡易情報を指定するデータを格納する簡易情報項目ファイルと、
前記登録ユーザの一人である前記利用ユーザからユーザ情報を検索するための検索条件を受け付け、前記検索条件を満たす前記ユーザ情報を前記ユーザ情報データベースから取得する検索部と、
広告、及び前記広告の配信対象者が満たすべき条件として定められた配信条件を保持する広告保持部と、
前記利用ユーザのユーザ情報を前記ユーザ情報データベースから取得し、前記広告保持部に保持されている前記広告の各々について、前記利用ユーザのユーザ情報の内容が前記配信条件を満たしている割合である合致度を求める合致度算出部と、
前記広告を配信する場合に前記合致度が有すべき値であって設定可能な設定値を保持する設定値保持部と、
前記合致度が前記設定値以上である前記広告を前記広告保持部から抽出する制御部と、
前記利用ユーザが所有する前記携帯電話が接続された前記撮像システムからユーザ情報が要求された場合には、前記制御部が抽出した前記広告及び前記検索部が取得したユーザ情報の前記公開情報を前記撮像システムに送信し、前記携帯電話からユーザ情報が要求された場合には、前記制御部が抽出した前記広告及び前記検索部が取得したユーザ情報の前記簡易情報を前記携帯電話に送信する配信部と
を備える広告配信システム。
【請求項２】
前記配信部は、前記合致度が前記設定値以上である前記広告が２以上ある場合に、過去に配信された回数が少ない前記広告を配信する
請求項１に記載の広告配信システム。
【請求項３】
前記配信部は、前記合致度が前記設定値以上である前記広告が２以上ある場合に、
前記設定値が大きく、かつ回数が少ない前記広告を配信する
請求項１に記載の広告配信システム。
【請求項４】
基本料と前記設定値とに基づいて求められる広告料を算出する広告料算出部
をさらに備える請求項１乃至３のいずれかに記載の広告配信システム。
【請求項５】
広告配信システムにより実行される広告配信方法であって、
利用ユーザを撮像する撮像システムに設けられた携帯電話通信部に、前記利用ユーザの携帯電話が差し込まれると、前記携帯電話から電話番号を取得して個人認証データメモリに格納する段階と、
登録ユーザに関するユーザ情報のファイル名を前記登録ユーザの電話番号に関連付けて保持しているユーザ情報データベース内を、前記個人認証データメモリに格納されている電話番号を検索キーとして検索する段階と、
前記個人認証データメモリに格納されている電話番号が前記ユーザ情報データベースにない場合に、前記利用ユーザが前記登録ユーザでないと判断し、前記利用ユーザからユーザ情報の入力を受け付ける段階と、
前記利用ユーザのプロフィールをプロフィールデータベースに保存し、前記利用ユーザの画像データを画像データベースに保存し、前記利用ユーザの音声データを音声データベースに保存し、それぞれのデータベースに保存されたデータのファイル名を、前記個人認証データメモリに格納されている電話番号に関連付けて前記ユーザ情報データベースに保存する段階と、
前記登録ユーザの一人である前記利用ユーザからユーザ情報を検索するための検索条件を受け付け、前記検索条件を満たす前記ユーザ情報を前記ユーザ情報データベースから取得する段階と、
前記利用ユーザのユーザ情報を前記ユーザ情報データベースから取得する段階と、
広告及び前記広告の配信対象者が満たすべき条件として定められた配信条件を保持する広告保持部に保持されている前記広告の各々について、前記利用ユーザのユーザ情報の内容が前記配信条件を満たしている割合である合致度を求める段階と、
前記合致度が予め設定された設定値以上の前記広告を前記広告保持部から抽出する段階と、
前記利用ユーザが所有する前記携帯電話が接続された前記撮像システムからユーザ情報が要求された場合には、前記ユーザ情報の中で第三者に公開する情報である公開情報を指定するデータを格納する公開情報項目ファイルを参照して、抽出された前記広告及び取得されたユーザ情報の前記公開情報を前記撮像システムに送信し、前記携帯電話からユーザ情報が要求された場合には、前記公開情報の一部から構成され、前記公開情報よりデータ量が少ない簡易情報を指定するデータを格納する簡易情報項目ファイルを参照して、抽出された前記広告及び取得された前記ユーザ情報の前記簡易情報を前記携帯電話に送信する段階と
を備える広告配信方法。
【請求項６】
基本料と前記設定値とに基づいて求められる広告料を算出する広告料算出段階
をさらに備える請求項５に記載の広告配信方法。
【発明の詳細な説明】
【０００１】
【発明の属する技術分野】
本発明は、広告配信システム及び広告配信方法に関する。特に本発明は、広告を適正な対象者に配信する広告配信システム及び広告配信方法に関する。
【０００２】
【従来の技術】
従来、この種の広告配信システムとしては、例えば、インターネット上で特定のキーワードに基づいて情報を検索する者に、そのキーワードに関連する広告を配信するシステムがある。また、例えば、予め複数の個人情報を収集し、その個人情報に関連する広告をｅ−ｍａｉｌ等で配信するシステムがある。これらの広告配信システムは、いずれも、広告を配信しようとする対象者の属性を表す情報と、広告の配信条件とを比較し、これらが一致したとき広告を配信している。
【０００３】
【発明が解決しようとする課題】
しかし、広告には、その広告の内容により、配信条件を明確に定められるものとそうでないものとがある。このために、広告配信対象者の属性を表す情報と、広告の配信条件とが単に一致したというだけでいずれの広告をも一律に配信したのでは、必ずしも効果的な広告の配信ができないという問題があった。
【０００４】
そこで本発明は、上記の課題を解決することのできる広告配信システム及び広告配信方法を提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、各々の登録ユーザに関するユーザ情報を保持しているユーザ情報保持部と、前記登録ユーザの一人である利用ユーザから前記ユーザ情報を検索するための検索条件を受け付け、前記検索条件を満たす前記ユーザ情報を前記ユーザ情報保持部から取得する検索部と、広告、及び前記広告の配信対象者が満たすべき条件として定められた配信条件を保持する広告保持部と、前記利用ユーザのユーザ情報を前記ユーザ情報保持部から取得し、前記広告保持部に保持されている広告の各々について、前記利用ユーザのユーザ情報の内容が前記配信条件を満たしている割合である合致度を求める合致度算出部と、前記広告を配信する場合に前記合致度が有すべき最小の値であって設定可能な設定値を保持する設定値保持部と、前記合致度が前記設定値以上である前記広告を前記広告保持部から抽出し、前記検索部が取得した前記ユーザ情報とともに前記利用ユーザに配信する配信部と、を備える広告配信システムが提供される。
【０００６】
上記の広告配信システムにおいて、前記配信部は、前記合致度が前記設定値以上である広告が２以上ある場合に、過去に配信された回数が少ない前記広告を配信することが好ましい。
また、前記配信部は、前記合致度が前記設定値以上である広告が２以上ある場合に、設定値が大きく、かつ回数が少ない前記広告を配信することが好ましい。また、基本料と前記設定値とに基づいて求められる広告料を算出する広告料算出部をさらに備えることが好ましい。
【０００７】
本発明の第２の形態によれば、登録ユーザの各々からユーザ情報を取得する段階と、取得されている前記ユーザ情報の中から、登録ユーザの一人である利用ユーザが求める前記ユーザ情報を抽出する段階と、広告主から広告、及び前記広告の配信対象者が満たすべき配信条件を取得する段階と、前記利用ユーザのユーザ情報が前記配信条件を満たす割合である合致度を求める段階と、前記合致度に許容される最小値を設定する段階と、前記合致度が前記最小値以上の広告を抽出し、前記利用ユーザの求めに応じて抽出されている前記ユーザ情報とともに、前記利用ユーザに配信する段階と、を備える広告配信方法が提供される。
【０００８】
さらに、本発明の第３の形態によれば、広告を広告対象者に配信する広告配信システムが提供される。この広告配信システムは、、広告を保持する広告保持部と、前記広告保持部に保持されている前記広告から所定事項を抽出して、前記広告対象者が有する第１の通信機器に配信する第１広告配信部と、前記広告保持部から前記広告を取得し、前記第１の通信機器と異なる第２通信機器に配信する第２広告配信部とを備える。
【０００９】
上記の広告配信システムは、１又は２以上の非広告情報を保持する非広告情報保持部と、１又は２以上の前記非広告情報の各々から所定事項を抽出して１又は２以上の簡易情報を作成する簡易情報作成部とをさらにを備え、前記第１広告配信部は、１又は２以上の前記簡易情報とともに前記広告の所定事項を前記第１通信機器に配信することが好ましい。
【００１０】
また、上記の広告配信は、１又は２以上の非広告情報を保持する非広告情報保持部をさらにを備え、前記第２広告配信部は、１又は２以上の前記非広告情報とともに前記広告の全事項を前記第２通信機器に配信することが好ましい。
また、上記の広告配信システムにおいて、前記第１の通信機器は、携帯型の通信機器であることが好ましい。
また、上記の広告配信システムにおいて、前記第２の通信機器は、前記広告を印刷できる通信機器であることが好ましい。
なお上記の発明の概要は、本発明の必要な特徴の全てを列挙したものではなく、これらの特徴群のサブコンビネーションも又発明となりうる。
【００１１】
【発明の実施の形態】
以下、本発明の一実施形態に係る広告配信システムについて説明する。
図１は、本実施形態の広告配信システムを含む通信システムの概略図である。図示の通信システムは、広告を配信するサーバシステム２００と、通信網３００を介してサーバシステム２００と通信できる１又は２以上の撮像システム１００ａ、１００ｂ（以下、１００と総称する）と、携帯電話用の回線を介してサーバシステム２００と通信できる携帯電話４００とを含む。
【００１２】
サーバシステム２００は、後述するユーザ情報用のデータベースと広告用のデータベースとを有する。ユーザ情報とは、本通信システムを利用するユーザの画像情報、音声情報およびユーザのプロフィールに関する文字情報から構成される情報である。サーバシステム２００に保存されているユーザ情報は、撮像システム１００又は携帯電話４００から検索条件をサーバシステム２００へ送信することより検索できる。サーバシステム２００は、検索条件を送信されると、検索条件に合うユーザ情報を検索するとともに、所定の条件を満たす広告を広告用のデータベースから抽出する。さらに、サーバシステム２００は、検索結果として得られたユーザ情報とともに抽出した広告を撮像システム１００又は携帯電話４００へ送信する。これにより、本実施形態では、広告がユーザに配信される。
【００１３】
図２は、本実施形態に係る撮像システム１００の概略機能ブロック図である。本実施形態の撮像システム１００は、ユーザの声を取得するマイク１０８と、マイク１０８が取得した音声データを保存する音声データメモリ１２４と、ユーザの画像を取得する撮像ユニット１２０と、撮像ユニット１２０が取得した画像データ保存する画像メモリ１２２とを備えている。
【００１４】
また、撮像システム１００は、携帯電話接続部１０４を介してユーザの携帯電話４００と通信を行い、その携帯電話４００の電話番号を取得する携帯電話通信部１１２と、携帯電話通信部１１２が取得した電話番号を保存する個人認証データメモリ１１４とを備えている。
【００１５】
また、撮像システム１００は、ユーザが種々の情報を入力できる操作部１１０と、種々の情報を出力するモニタ１０２およびプリンタ１０６とを備えている。また、撮像システム１００は、サーバ２００と通信を行うサーバ通信部１３４とを備えている。
また、撮像システム１００は、プロフィールメモリ１２６と、検索条件メモリ１２８とを備えている。プロフィールメモリ１２６には、操作部１１０を介してユーザによって入力されたユーザのプロフィールが保存される。検索条件メモリ１２８には、ユーザが検索したいユーザ情報の条件が保存される。
【００１６】
撮像システム１００は、撮像システム１００全体の動作を統括制御する制御部１１６をも備えている。制御部１１６は、マイク１０８，撮像ユニット１２０、操作部１１０、携帯電話通信部１１２、モニタ１０２、プリンタ１０６及びサーバ通信部１３４の動作を制御する。また、制御部１１６は、前述した各種メモリにアクセスし、それらメモリへのデータの書き込み、読み出し、及び消去を行う。
【００１７】
図３は、サーバシステム２００の概略機能ブロック図である。サーバシステム２００は、撮像システム１００と通信を行う撮像システム通信部２０２と、ユーザの携帯電話４００と通信を行う携帯電話通信部２１４と、上記２つの通信部を制御する制御部２０４とを備えている。
【００１８】
また、サーバシステム２００は、ユーザのプロフィールを保存するプロフィールデータベース２０８と、ユーザの画像データを保存する画像データベース２１０と、ユーザの音声データを保存する音声データベース２１２とを備えている。さらに、サーバシステム２００は、上記したプロフィールデータベース２０８、画像データベース２１０、及び音声データベース２１２に保存されているデータのファイル名をユーザの電話番号に関連づけて保存するユーザ情報データベース２０６を備えている。
また、サーバシステム２００は、本通信システムがユーザに配信すべき広告を保存する広告データベース２１６を備えている。
【００１９】
また、サーバシステム２００は、公開情報項目ファイル２１８及び簡易情報項目ファイル２２０を備えている。公開情報項目ファイル２１８には、ユーザ情報の中で第３者に公開すべき項目（以下、この項目を「公開情報項目」、公開情報項目のみで構成されている情報を「公開情報」という）を指定するデータが格納される。また、簡易情報項目ファイル２２０には、簡易情報を構成すべき項目（以下、「簡易情報項目」という）を指定するデータが格納される。簡易情報とは、公開情報の一部から構成され、公開情報よりデータ量の少ない情報をいう。なお、上記データベース及びファイルへのデータの書き込み、読み出し、及び消去は、制御部２０４によって行われる。
【００２０】
図４に、プロフィールデータベース２０８の構成を示す。プロフィールデータベース２０８には、各ユーザのプロフィールとして性別、生年月日、住所、性格、趣味、好みの食べ物、音楽、及びメッセージがユーザの電話番号に関連づけて保存される。
図５は、ユーザ情報データベース２０６の構成を示す。ユーザ情報データベース２０６には、画像データベース２１０に保存されているユーザの画像データのファイル名、プロフィールデータベース２０８に保存されているプロフィールのファイル名、及び、音声データベース２１２に保存されている音声メッセージのファイル名が、ユーザの携帯電話４００の電話番号に関連づけて保存される。
図６に、広告データベース２１６の構成を示す。広告データベースには、広告ＩＤに関連づけて、広告主情報、広告内容、配信条件、合致度最小値、配信回数、及び広告料総額が保存される。
【００２１】
広告ＩＤは、各々の広告に固有の識別番号である。図には、一例として広告ＩＤが０１１、０１２及び０１３の３つの広告が示されている。なお、本実施形態では、広告ＩＤが０１１の広告は、自動車販売業者がニューモデルの小型車の販売促進を目的として配信する広告であると仮定する。また、広告ＩＤが０１２の広告は、旅行代理店が若い女性を対象としたパリ・ミラノへのショッピング旅行の参加者を募集する内容の広告であり、広告がＩＤ０１３の広告は、都心にあるバーがジャズ音楽を好む客を求める内容の広告であると仮定する。
【００２２】
広告主情報は、広告主の連絡先に関する情報である。
広告内容は、広告の実体であり、広告タイトル、広告詳細、及び画像データから構成される。広告タイトルは、その広告の内容を簡潔に示すテキスト情報である。広告詳細は、広告の詳細な内容を示すテキスト情報である。
【００２３】
配信条件は、広告の配信対象者が満たすべき条件として例えば広告主が定める条件である。広告ＩＤが０１１の配信条件は、「性別＝女性」、「年齢＝１８―３０」、「住所＝東京都＋神奈川県」、「趣味＝ドライブ＋アウトドア」と設定されている。これは、東京都又は神奈川県に在住の年齢が１８以上３０以下の女性で、ドライブ又はアウトドアを趣味とする人が広告の配信対象者であることを意味する。また、広告ＩＤが０１２の広告条件は、「性別＝女」、「年齢＝２０−２５」、「住所＝東京都」、「趣味＝旅行」と設定されている。これは、東京都在住の年齢が２０以上２５以下の女性で旅行を趣味とする人が広告の配信対象であることを意味する。さらに、広告ＩＤが０１３の広告条件は、「好物＝洋酒」、「音楽＝ジャズ」と設定されている。これは、洋酒を好み、ジャズ音楽を好む人が広告の配信対象者であることを意味する。
【００２４】
最低合致度は、１以下の値に任意に設定される値である。本実施形態では、登録されているユーザ情報の内容と配信条件とを比較し、ユーザ情報が配信条件を満たす割合（以下、「合致度」という）が上記最低合致度以上である場合に、そのユーザに広告を配信する。本実施形態では、広告主または本通信システムの運営者が、各々の広告毎に最低合致度を設定する。
【００２５】
本実施形態において、広告ＩＤが０１２の広告は、若い女性が好むブランド製品のショッピング旅行への参加者を募集しており、広告対象者の範囲が非常に明確である。このために、広告主は、配信条件を「１．０」に設定し、配信条件で設定されている４つの条件を全て満たすユーザにのみ広告を配信すべきことを指定している。この場合には、実際に広告を配信するユーザの数は限られた者となるが、効率のよい広告が行える。
【００２６】
広告ＩＤが０１１及び０１３の広告は、それぞれ小型自動車及び洋酒が楽しめるバーに関する広告である。小型自動車も洋酒に対しては幅広い人々が感心を示す可能性がある。このために、これらの広告を配信すべき対象者の条件を厳格に定めることは難しい。このような場合に、配信条件を「１．０」と定めると、広告が配信されるユーザの数が少なくなり、却って広告の効果が失われる。このために、広告主は、これらの広告について最低合致度をそれぞれ「０．５」に設定し、配信条件をあまり厳格に適用しないこととしている。この場合には、幅広い人々に広告が配信され、広告の効果を確保できるようになる。
【００２７】
配信回数は、広告が実際に配信された回数である。また、広告料総額は、広告を配信したことに対し、広告主に請求する広告料の総額である。本実施形態では、広告料総額を基本料金、最低合致度、及び配信回数の積として求める。このために、広告料総額には、最低合致度の値が反映される。つまり、広告ＩＤが０１２である広告のケースのように、最低合致度を「１．０」に設定することで数は少ないが効率的な広告を行う場合には、基本料金に配信回数をかけた値がそのまま広告料総額となる。これに対し、広告ＩＤが０１１である広告のケースのように、最低合致度を低く設定し、効率は悪いが数多くの広告を配信する場合には、広告の配信１回当たりの広告料が合致度にあわせて低くなる。結果として、この場合には、広告料総額が低く抑制される。このように、本実施形態では、広告料総額に最小合致度を反映させることで、広告の効果に見合う広告料金が設定される。なお、本実施形態では、基本料金を１００円に設定し、広告料総額を求めた例を示している
【００２８】
次に、本実施形態に係る通信システムの動作について説明する。
図７は、本実施形態においてユーザが撮像システム１００においてユーザ情報を検索する場合に撮像システム１００及びサーバシステム２００が行う処理を示すフローチャートである。本実施形態では、はじめにＳ１１０〜Ｓ１１８において、ユーザ情報を検索しようとするユーザが、既にユーザ情報の登録を済ませているか否かが判断され、未登録の場合は、直ちにＳ１２０〜Ｓ１２６のユーザ情報の登録処理が行われる。さらに、ユーザ情報が登録されていることが確認された後には、Ｓ１２８〜Ｓ１３６において、ユーザが要求するユーザ情報の検索と、そのユーザに配信すべき広告の抽出が行われる。最後に、Ｓ１３８〜Ｓ１４２において、検索結果として得られたユーザ情報が広告とともにユーザに提供される。以下、上記処理の詳細を説明する。
【００２９】
はじめに、ユーザは、撮像システム１００の携帯電話差込口１０４に、所有する携帯電話４００を差し込む。携帯電話４００が差し込まれると、撮像システム１００の携帯電話通信部１１２が、携帯電話４００からその電話番号を取得し、個人認証データメモリ１１４に格納する（Ｓ１１０）。次に、撮像システムの制御部１１６が、通信部２００を介して、個人認証データメモリ１１４に格納されている電話番号をサーバシステム２００へ送信する（Ｓ１１２）。
【００３０】
サーバシステム２００の制御部２０４は、送信された電話番号を検索キーとしてユーザ情報データベース２０６内を検索する（Ｓ１１４）。さらに、制御部２０４は、検索の結果、その電話番号がユーザ情報データベース２０６内にあったか否かを撮像システム１００に通知する（Ｓ１１６）。
【００３１】
撮像システム１００の制御部１１６は、サーバシステム１００からの通知内容に基づいて、携帯電話４００の所有者であるユーザが登録ユーザであるか否かを判断する（Ｓ１１８）。すなわち、サーバシステム２００から電話番号がユーザ情報データベース２０６に無かった旨の通知を受けているときには、制御部１１６はそのユーザが登録ユーザでないと判断し、そのユーザからユーザ情報の入力を受け付ける（Ｓ１１８：ｎｏ、Ｓ１２０）。また、制御部１１６は、受け付けたユーザ情報をサーバシステム２００へ送信する（Ｓ１２２）。
【００３２】
次に、サーバシステム２００の制御部２０４は、送信されたユーザ情報を登録する（Ｓ１２４）。具体的には、制御部２０４は、ユーザ情報のうち、プロフィールをプロフィールデータベース２０８に、画像データを画像データベース２１０に、音声データを音声データベース２１２にそれぞれ保存する。また、制御部２０４は、それぞれのデータベースに保存されたデータのファイル名と、Ｓ１１４で取得した電話番号とをユーザ情報データベース２０６に保存する。これにより、ユーザ情報が登録される。ユーザ情報の登録が終了すると、制御部２０４は、その旨を撮像システム１００に通知する（Ｓ１２６）。
【００３３】
サーバシステム１００からユーザ登録が終了した旨の通知を受けた場合、又は、Ｓ１１８においてユーザは登録ユーザであると判断された場合（Ｓ１１８：ｙｅｓ）、撮像システム１００の制御部１１６は、ユーザ情報を検索するための検索条件をユーザから受け付ける（Ｓ１２８）。本実施形態の場合、例えば、検索条件は、性別、年齢、住所、趣味、好物、又は音楽について設定できる。例えば、検索条件は、「年齢＝２５−３０」、「性別＝男性」、「趣味＝ドライブ」と設定できる。これは、検索対象が年齢２５才から３０才までの男性で、ドライブが趣味の人であることを意味する。制御部１１６は、検索条件を受け付けると、それをサーバシステム２００へ送信する（Ｓ１３０）。
【００３４】
検索条件を受信したサーバシステムの制御部２０４は、検索条件に合致するユーザ情報を検索し、その公開情報を抽出する（Ｓ１３２）。具体的には、制御部２０４は、プロフィールデータベース２０８を検索して、検索条件にあうユーザ情報を特定する。次に、公開情報項目ファイル２１８で公開情報項目として指定されている項目をそのユーザ情報から抽出し、公開情報を得る。
次に制御部２０４は、広告データベース２１６から利用ユーザに配信すべき広告を抽出し（Ｓ１３４）、これをＳ１３２で取得した公開情報とともに撮像システム１００へ送信する（Ｓ１３６）。
【００３５】
次に、撮像システムの制御部１１６は、送信された公開情報及び広告をモニタ１０２に表示させる（Ｓ１３８）。また、制御部１１６は、表示した情報を印刷するか否かを問い合わせるメッセージをモニタ１０２に表示させる（Ｓ１４０）。この結果、利用ユーザが印刷を希望した場合には、制御部１１６は、公開情報と広告とをプリンタ１０６に印刷させる。以上により、ユーザ情報の検索に伴う一連の処理は終了する。
【００３６】
図８に、図７のＳ１２０で示したユーザ情報の受け付けにおいて、サーバシステム２００で行われる処理の詳細を示す。また、図９に、撮像システム１００がユーザ情報を受け付けるときにモニタ１０２に表示する画面の一例を示す。
【００３７】
ユーザ情報を受け付けるときには、はじめに、撮像システムの制御部１１６が撮像ユニット１２０を利用してユーザを撮影し、その結果得られたユーザの画像データを画像メモリ１２２に保存する（Ｓ２０２）。次に、制御部１１６は、マイク１０８を利用してユーザの音声データを取得し、それを音声データメモリ１２４に保存する（Ｓ２０４）。次に、制御部１１６は、表示部１０２に図９に示した画面を表示させることで、ユーザに自己のプロフィールを入力することを促す。これに対し、ユーザが、操作部１１０を介して、画面に表示された各項目に情報を入力すると、制御部１１６は、入力された内容をプロフィールメモリ１２６に保存する（Ｓ２０６）。
【００３８】
以上で、ユーザ情報を受け付けるための処理は終了する。本実施形態では、ユーザ情報の受け付け処理が終了した後、引き続き、取得したユーザの画像をユーザに提供するサービスを行う（Ｓ２０８〜Ｓ２１４）。以下、ユーザの画像をユーザに提供するときに実行される処理について説明する。なお、以下に説明するＳ２０８〜Ｓ２１４の処理は、本実施形態に必須の処理ではない。
【００３９】
Ｓ２０４の実行後、制御部１１６は、表示部１０２にメッセージを表示し、撮影したユーザの画像を携帯電話４００にダウンロードするか否かをユーザに問い合わせる（Ｓ２０８）。これに対し、ユーザが画像の送信を希望した場合、制御部１１６は、画像メモリ１２２に保存されている画像データを携帯電話接続部１０４に差し込まれている携帯電話４００へ送信する（Ｓ２１０）。なお、このとき制御部１１６は、画像データをＲＧＢ各８ビットのフルカラーから８ビットインデックスカラーに縮退させるとともに、画像サイズを例えば１６０×１２０のサムネイルサイズに縮小した上で送信する。これは、携帯電話４００の表示部において表示できる画像データを送信するためである。
【００４０】
Ｓ２１０において画像データの送信が終了した場合、又はＳ２０８においてユーザが画像の送信を希望しなかった場合、制御部１１６は、表示部１０２にメッセージを表示して、撮影した画像を印刷するか否かをユーザに問い合わせる（Ｓ２１２）。これに対し、ユーザが印刷を希望すると、制御部１１６は、画像メモリ１２２に保存されている画像データをプリンタ１０６に印刷させる（Ｓ２１４）。本実施形態では、プリンタ１０６は例えばシールに画像データを印刷する。画像の印刷が終了した後、又はＳ２１２においてユーザが画像の印刷を希望しなかった場合、制御部１１６は、図８で示した一連の処理を終了し、図７のＳ１２２の処理へ進む。
【００４１】
図１０に、図７のＳ１３４で示した広告抽出処理において、サーバシステム２００で行われる処理の詳細を示す。ここでは、はじめに、ユーザ情報の検索を要求しているユーザに配信すべき広告が広告データベースから抽出される。すなわち、サーバシステムの制御部２０４が、Ｓ１１４で取得した電話番号を検索キーとしてユーザ情報が保存されているデータベースを検索し、検索を要求しているユーザのユーザ情報を取得する（Ｓ３０２）。次に、制御部２０４は、広告データベースから配信条件を取得し、取得したユーザ情報がその配信条件を満たす割合である合致度を計算する（Ｓ３０４）。合致度の計算は、広告データベース２１６に保存されている全ての広告に対して行ってもよく、又は、一部の広告に対してのみ行ってもよい。次に、制御部２０４は、合致度が各々の広告について定められている最低合致度以上であって、広告回数が少ない広告を取得する（Ｓ３０６）。次に、制御部２０４は、広告を配信することに対する基本料金と、取得した広告の最低合致度との積を算出することにより、広告料を算出する（Ｓ３０８）。次に、制御部２０４は、算出された広告料を広告データベースの広告料総額に加算する（Ｓ３１０）。以上で広告抽出処理は終了し、制御部２０４は、図７のＳ１３４へ進む。
【００４２】
図１０の処理内容を、検索キーとして利用する電話番号が０９０−２３４５−６７８９であり、比較される広告が広告ＩＤ０１１〜０１３の広告であると仮定して、より具体的に説明する。
【００４３】
Ｓ３０２では、電話番号０９０−２３４５−６７８９を検索キーとして図４に示されるプロフィールデータベース２０８が検索される。検索の結果、プロフィールデータベース２０８の上から２番目に登録されているユーザ情報が取得される。このユーザ情報には、性別＝女性、年齢＝２０才（１９８０年１月１日生まれ）、住所＝東京都、趣味＝旅行と記録されている。
【００４４】
次に、Ｓ３０４では、まず広告ＩＤが０１１である広告の配信条件が取得され、前述したユーザ情報と比較される。この場合、配信条件に定められている４つの条件のうち、「性別＝女性」、「年齢＝１８−３０」及び「住所＝東京都＋神奈川県」の３つの条件が満たされるので、合致度は０．７５と求められる。次に、広告ＩＤ０１２及び０１３の配信条件が、取得されているユーザ情報と順に比較される。取得されているユーザ情報は、広告ＩＤ０１２の配信条件を全て満たすが、広告ＩＤ０１３の配信条件は全く満たしていないので、各々の合致度は「１．０」及び「０．０」と算出される。
【００４５】
ここまでで、広告ＩＤ０１１及び０１２の広告の合致度が、各々の最低合致度（０．５及び１．０）以上であることがわかる。また、図６によれば、上記２つの広告の配信回数は、それぞれ１０回と６回である。したがって、Ｓ３０６では、上記広告の中でより配信回数が少ない広告ＩＤ０１２の広告が配信すべき広告として選択され、その広告ＩＤに関連づけられている広告内容が取得される。また、Ｓ３０８では、広告ＩＤ０１２の設定値が「１．０」であることから、広告料は基本料金（本実施形態では１００円）そのものと計算される。したがって、Ｓ３１０では、広告データベース２１６における広告ＩＤ０１２の広告料総額に１００が加算される。
【００４６】
図１１は、本実施形態において、ユーザが携帯電話４００を利用してユーザ情報を検索する場合に、携帯電話４００及びサーバシステム２００が行う処理を示すフローチャートである。携帯電話４００を利用してユーザ情報を検索する場合には、はじめに、携帯電話４００からサーバシステム２００へ、その携帯電話４００の電話番号と検索条件が送信される（Ｓ４０２）。
【００４７】
検索条件等を受信したサーバシステム２００では、制御部２０４が、プロフィールデータベース２０８内を検索することにより、検索条件に合うユーザ情報を特定する（Ｓ４０４）。次に、制御部２０４は、特定されたユーザ情報の簡易情報を作成する（Ｓ４０６）。具体的には、制御部２０４は、特定されているユーザ情報のうち、簡易情報項目ファイル２２０で指定されている項目に対応する内容のみを抽出し、抽出した情報で簡易情報を作成する。
【００４８】
次に、制御部２０４は、検索を要求しているユーザのユーザ情報を取得する（Ｓ４０８）。すなわち、制御部２０４は、Ｓ４０２で送信された電話番号を検索キーとして、プロフィールデータベース２０８内を検索し、その電話番号に関連づけられているプロフィールデータを取得する。
【００４９】
次に、制御部２０４は、取得した利用ユーザのユーザ情報と、広告データベースに保存されている広告の配信条件との合致度を求める（Ｓ４１０）。次に、制御部２０４は、合致度が最低合致度以上である広告の中から広告回数が少ない広告を選択する（Ｓ４１２）。次に、制御部２０４は、選択された広告の広告ＩＤ、及び広告タイトルのみを広告データベースから抽出する（Ｓ４１４）。次に、制御部２０４は、抽出した広告ＩＤ及び広告タイトルをＳ４０６で得られた簡易情報とともにユーザの携帯電話４００へ送信する（Ｓ４１６）。
【００５０】
次に、制御部２０４は、配信された広告の広告料を算出する（Ｓ４１８）。広告料は、基本料金と、配信した広告について設定されている最低合致度との積として求められる。なお、ここでの基本料金は、広告タイトルのみを配信したことに対する基本料金であり、本実施形態では、図１０のＳ３０８で言及した基本料金より低額の料金を用いる。
最後に、制御部２０４は、Ｓ４１８で算出された広告料を広告データベース２１６の広告料総額に加算して（Ｓ４２０）、一連の処理を終了する。
【００５１】
なお、携帯電話４００では、送信された簡易情報とともに広告ＩＤ及び広告タイトルが液晶表示部等に表示される。これにより、広告がユーザの目に触れることとなる。広告タイトルを読んだ結果、ユーザが広告に興味を持った場合、そのユーザは、撮像システム１００において、広告ＩＤを利用して詳細な広告内容を入手できる。
【００５２】
図１２は、撮像システム１００において、広告ＩＤを利用して詳細な広告をユーザが入手しようとする場合に、撮像システム１００及びサーバシステム２００が行う処理を示すフローチャートである。
【００５３】
はじめに、ユーザが広告ＩＤを撮像システム１００の操作部１１０に入力すると、撮像システム１００は、その広告ＩＤをサーバシステム２００へ送信する（Ｓ５０２）。
【００５４】
サーバシステムの制御部２０４は、広告ＩＤを受け取ると、それを検索キーとして広告データベースを検索し、対応する広告の広告内容を取得する（Ｓ５０４）。次に、制御部２０４は、基本料金と、その広告について定められている最小合致度との積を求めることで、その広告についての広告料を算出する（Ｓ５０６）。  なお、ここで用いる基本料金は、図１０のＳ１３４で用いたのと同一の料金でもよく、又は、それと異なる料金でもよい。
【００５５】
次に、制御部２０４は、算出された広告料を広告データベースの広告料総額に加算する（Ｓ５０８）。次に、制御部２０４は、Ｓ５０４で取得した広告を撮像システム１００へ送信する（Ｓ５１０）。
【００５６】
撮像システム１００では、制御部１１６が、送信された広告をモニタ１０２に表示させる（Ｓ５１２）。さらに、制御部１１６は、メッセージをモニタ１０２に表示して、ユーザに表示した広告を印刷すべきか否かを問い合わせる（Ｓ５１４）。これに対し、ユーザが広告の印刷を希望した場合には、プリンタ１０６が広告を印刷する（Ｓ５１４：ｙｅｓ、Ｓ５１６）。これにより、ユーザは、その広告を持ち帰ることができる。一方、Ｓ５１４においてユーザが広告の印刷を希望しなかった場合、撮像システム１００は、印刷を行うことなく処理を終了する（Ｓ５１４：ｎｏ）。
【００５７】
以上説明したように、本実施形態では、ユーザのユーザ情報と広告の配信条件とを比較し、両者の合致度が、各々の広告について個別に定められた最低合致度以上である場合にその広告をユーザに配信する。広告の配信対象者の条件が明確である場合には、最低合致度を高い値に設定することで、効果的な広告の配信を行うことができる。一方、広告の配信対象者の条件を明確に定義できない場合には、最低合致度の値を低く設定し、広告を多数の者に配信することで、広告効果を確保できる。
【００５８】
また、本実施形態では、広告料に最低合致度を反映させている。よって、最小合致度が低く設定され、配信条件の一部を満たさない数多くの人々に広告が配信される場合に、広告料も低く設定され、広告主の負担が軽減される。
【００５９】
さらに、本実施形態では、合致度が設定値以上である広告が２以上ある場合に、配信回数が少ない広告を優先して配信する。したがって、本実施形態では、広告間で配信回数の偏りを防止できる。
【００６０】
また、本実施形態では、ユーザが携帯電話４００を利用してユーザ情報の検索を行った場合に、広告タイトル及び広告ＩＤのみをその携帯電話４００に配信する。したがって、本実施形態では、メモリ容量が小さい携帯電話４００に過大な負荷をかけることなく広告を配信できる。
【００６１】
また、本実施形態では、撮像システム１００において、広告ＩＤを利用して広告を検索することができる。したがって、ユーザは、携帯電話４００に送られた広告タイトルに興味を抱いた場合には、その広告タイトルとともに送信した広告ＩＤを利用してより詳細な情報を簡単に取得する事ができる。
【００６２】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【００６３】
例えば、図１０のＳ３０６で行う処理の内容は、合致度が最低合致度以上の広告のうち、最低合致度が高く、広告回数が少ない広告を取得することとしてもよい。このようにすると、配信回数が少なくなる傾向がある最低合致度の高い広告が優先的に配信され、その配信回数を増大させることができる。
【００６４】
また、広告配信に伴う広告料の広告データベース２１６への加算は、広告が撮像システムにおいて印刷された場合にのみ行うこととしてもよい。この場合には、図７及び図１２において、広告が印刷された場合（Ｓ１４２、Ｓ５１６）に撮像システム１００がその旨をサーバシステム２００に通知し、サーバシステム２００は、上記通知を受けた場合にのみ、Ｓ１３２及びＳ１３４、並びにＳ５０６及びＳ５０８の処理を行えばよい。
【００６５】
【発明の効果】
上記説明から明らかなように、本発明によれば広告内容に応じて効果的な広告の配信を行うことができる。
【図面の簡単な説明】
【図１】本発明の一実施形態に係る広告配信システムを含む通信システムの概略図である。
【図２】撮像システム１００の概略機能ブロック図である
【図３】サーバシステム２００の概略機能ブロック図である。
【図４】プロフィールデータベース２０８の構成図である。
【図５】ユーザ情報データベース２０６の構成図である。
【図６】広告データベース２１６の構成図である。
【図７】ユーザがユーザ情報を検索する場合に撮像システム１００及びサーバシステム２００が行う処理を示すフローチャートである。
【図８】図７のＳ１２０で示したユーザ情報の受け付けで行われる処理の詳細を示すフローチャートである。
【図９】撮像システム１００がモニタ１０２に表示する画面例である。
【図１０】図７のＳ１３４で示した広告抽出処理の詳細を示すフローチャートである。
【図１１】ユーザが携帯電話４００を利用してユーザ情報を検索する場合に、携帯電話４００及びサーバシステム２００が行う処理示すフローチャートである。
【図１２】撮像システム１００において、広告ＩＤを利用して詳細な広告をユーザが入手しようとする場合に、撮像システム１００及びサーバシステム２００が行う処理を示すフローチャートである。
【符号の説明】
１００…撮像システム    １０２…モニタ    １０４…携帯電話差込口    １０６…プリンタ    １０８…マイク    １１０…操作部  １１２…携帯電話通信部１１４…個人認証データメモリ    １１６…制御部    １２０…撮像ユニット    １２２…画像メモリ    １２４…音声データメモリ    １２６…プロフィールメモリ    １２８…検索条件メモリ    １３４…サーバ通信部    ２００…サーバシステム    ２０２…撮像システム通信部    ２０４…制御部    ２０６…ユーザ情報データベース    ２０８…プロフィールデータベース    ２１０…画像データベース    ２１２…音声データベース    ２１４…携帯電話通信部  ２１６…広告データベース    ２１８…公開情報項目ファイル    ２２０…簡易情報項目ファイル    ３００…通信網    ４００…携帯電話
【図１】
0004162836.tif 000002
【図２】
0004162836.tif 000003
【図３】
0004162836.tif 000004
【図４】
0004162836.tif 000005
【図５】
0004162836.tif 000006
【図６】
0004162836.tif 000007
【図７】
0004162836.tif 000008
【図８】
0004162836.tif 000009
【図９】
0004162836.tif 000010
【図１０】
0004162836.tif 000011
【図１１】
0004162836.tif 000012
【図１２】
0004162836.tif 000013